(57)【要約】      （修正有）【課題】人物の画像の変化を楽しむことができる抱き枕を提供する。【解決手段】等身大の全身画像を印刷可能な大きさの抱き枕本体２と、抱き枕本体２に印刷された人物画像３と、抱き枕本体２に着脱自在に取り付けることができ、表面に抱き枕本体２とは異なる画像（衣服画像４）が印刷された被覆部材５とで抱き枕１を構成している。【選択図】図１
0003197671.tif 000002
【実用新案登録請求の範囲】
【請求項１】
ほぼ等身大の全身画像を印刷可能な大きさの抱き枕本体と、該抱き枕本体に印刷された人物画像と、前記抱き枕本体に着脱自在に取り付けることができ、表面に前記抱き枕本体とは異なる画像が印刷された被覆部材とより構成されることを特徴とする抱き枕。
【請求項２】
ほぼ等身大の全身画像を印刷可能な大きさの抱き枕本体と、該抱き枕本体を覆うことができる枕カバーと、該枕カバーに印刷された人物画像と、該枕カバーを取り付けた抱き枕本体に着脱自在に取り付けることができ、表面に画像が印刷された被覆部材とより構成されることを特徴とする抱き枕。
【考案の詳細な説明】
【技術分野】
【０００１】
本考案は表面に人物画像が印刷された抱き枕に関する。
【背景技術】
【０００２】
従来、人物の画像が印刷され、好きなキャラクターや人物と添い寝するような感覚が体感でき、リラックス効果等を得られるような抱き枕が知られている。
しかしながら、このような抱き枕は、単に画像が印刷されているだけなので、印刷された画像の変化を楽しむことができないという欠点が存在した。
【考案の概要】
【考案が解決しようとする課題】
【０００３】
本考案は以上のような従来の欠点に鑑み、人物の画像の変化を楽しむことができる抱き枕を提供することを目的としている。
【０００４】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００５】
上記目的を達成するために、等身大の全身画像を印刷可能な大きさの抱き枕本体と、該抱き枕本体に印刷された人物画像と、前記抱き枕本体に着脱自在に取り付けることができ、表面に前記抱き枕本体とは異なる画像が印刷された被覆部材とで抱き枕を構成している。
【考案の効果】
【０００６】
以上の説明から明らかなように、本考案にあっては次に列挙する効果が得られる。
（１）請求項１の考案においては、衣服を着た状態や衣服を脱いだ状態、異なる表情等の様々なパターンの人物画像をあらわすことができるので、好きなキャラクターや人物を自分の好みに合わせた状態で添い寝するような感覚が体感できる。
（２）被覆部材を着脱できるので、人物画像の変化を、着せ替え人形のように楽しむことができる。
（３）請求項２の考案においても前記（１）、（２）と同様な効果が得られる。
【図面の簡単な説明】
【０００７】
【図１】本考案を実施するための第１の形態の正面図。
【図２】本考案を実施するための第１の形態の被覆部材を外す状態の説明図。
【図３】本考案を実施するための第１の形態の被覆部材の説明図。
【図４】本考案を実施するための第２の形態の正面図。
【図５】本考案を実施するための第２の形態の背面図。
【図６】本考案を実施するための第３の形態の正面図。
【図７】本考案を実施するための第３の形態の枕カバーの説明図。
【考案を実施するための形態】
【０００８】
以下、図面に示す本考案を実施するための形態により、本考案を詳細に説明する。
【０００９】
図１ないし図３に示す本考案を実施するための第１の形態において、１は抱き枕で、該抱き枕１はほぼ等身大の人物の全身画像を印刷可能な大きさの抱き枕本体２と、該抱き枕本体２に印刷された人物画像３と、前記抱き枕本体２に着脱自在に取り付けることができ、表面に前記抱き枕本体とは異なる画像、本実施の形態においては衣服画像４が印刷された被覆部材５とで構成されている。なお、本考案における人物画像の人物とは、現存する（した）人物やキャラクターをいい、画像とは、写真、イラスト、コンピュータグラフィックス等を含む平面的な画像全般のことをいう。
【００１０】
前記抱き枕本体２は正面視において略長方形状であって、人物の等身大全身画像を印刷可能な大きさに形成されている。
【００１１】
前記人物画像３は、本実施の形態においては水着の女性の画像で、抱き枕本体２の表面２ａには女性の正面の全身画像が印刷され、抱き枕本体２の背面２ｂには女性の後ろ姿の全身画像が印刷されている。
【００１２】
前記被覆部材５は、帯状の布６と、該布の表面に印刷された衣服画像４と、布の短辺に固定されたファスナー８で構成されている。被覆部材５を前記抱き枕本体２に固定する際には、抱き枕本体２に衣服画像５が表になるように巻きつけ、ファスナー８を締める事により巻きつき固定させる。なお、ファスナーが設けられている布６の短辺は印刷された衣服画像４の襟形状に合わせて角部が切り取られている。
【００１３】
［考案を実施するための異なる形態］
次に、図４ないし図７に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１４】
図４および図５示す本考案を実施するための第２の形態において、前記本考案を実施するための第１の形態と主に異なる点は、表面にのみ女性の正面の全身画像を印刷した抱き枕本体２Ａおよび、正面の衣服画像のみを印刷した被覆部材５Ａを用いた点で、このような抱き枕１Ａでも前記本考案を実施するための第１の形態と同様の作用効果を得ることができる。
【００１５】
図６および図７示す本考案を実施するための第３の形態において、前記本考案を実施するための第１の形態と主に異なる点は、無地の抱き枕本体２Ｂと、該抱き枕本体２Ｂを覆うことができ、人物の全身画像を印刷した枕カバー７と、該枕カバー７を装着した抱き枕本体２Ｂに着脱自在に取り付けることができ、表面に衣服画像４が印刷された被覆部材５とで抱き枕１Ｂを構成した点で、このような抱き枕１Ｂでも前記本考案を実施するための第１の形態と同様の作用効果を得ることができるとともに、枕カバー７を異なる画像が印刷された物に交換するだけで、簡単に異なる人物の画像が印刷された抱き枕として使用することができる。
【００１６】
本実施の形態においては女性の全身画像を印刷した抱き枕本体について説明したが、本考案はこれに限られず、例えば男性の全身画像を印刷したもの等でも良い。
【００１７】
なお、本考案において想定している人間以外の「等身大」について説明すると、アニメキャラクターの場合には原寸大（設定されている身長等）を「等身大」として想定しており、特撮ヒーローやロボット等の非常に大きなキャラクターの場合には、人間の等身大程度の大きさを「等身大」として想定している。枕本体の形状に関して本考案の実施の形態においては、正面視略長方形状としているが、本考案はこれに限られず、正面視円形状、三角形状、多角形状、人型、動物型等、「等身大」の画像を印刷できる形状であれば、どのような形状でも良い。
【００１８】
また、被覆部材はジャケット等の衣服画像を印刷し、上半身部分を被覆するものについて説明したが、本考案はこれに限られず、異なる表情を印刷した被覆部材を顔の部分に着脱して異なる表情を表現したり、返信するヒーローの変身前の姿を抱き枕本体に印刷し、変身後の姿を被覆部材に印刷してもよい。
【００１９】
さらに、被覆部材はファスナーを締めることにより抱き枕本体に巻きつけて取り付ける形態について説明したが、被覆部材の前開き部分を面ファスナー、ボタン等で留めて抱き枕本体に巻きつけて取り付けてもよい。
【産業上の利用可能性】
【００２０】
本考案は抱き枕を製造する産業で利用される。
【符号の説明】
【００２１】
１、１Ａ、１Ｂ：抱き枕、        ２、２Ａ、２Ｂ：抱き枕本体、
３：人物画像、                  ４：衣服画像、
５、５Ａ：被覆部材、            ６：ファスナー、
７：枕カバー。
【図１】
0003197671.tif 000003
【図２】
0003197671.tif 000004
【図３】
0003197671.tif 000005
【図４】
0003197671.tif 000006
【図５】
0003197671.tif 000007
【図６】
0003197671.tif 000008
【図７】
0003197671.tif 000009